(57)【特許請求の範囲】
【請求項１】
各々に表示部を備えられた二つの筐体を、ヒンジ部を介して接続して成る端末装置であって、
前記二つの表示部が同一の表示を行っているか否かを判別する表示判別手段と、
前記二つの筐体を接続する前記ヒンジ部の状態を検出し、そのヒンジ部の状態が所定の状態であるか否かを判別するヒンジ部状態判別手段と、
前記表示判別手段により前記二つの表示部が同一の表示を行っていないと判別され、かつ前記ヒンジ部状態判別手段により前記ヒンジ部の状態が所定の状態であると判別された場合に、前記二つの表示部のうち、所定の優先順位に基づく側の表示部の表示を、他の表示部に表示させることで、前記二つの表示部の表示が同一となるような表示制御を行う表示制御手段と、
を備えることを特徴とする端末装置。
【請求項２】
前記ヒンジ部は、前記二つの筐体を開閉可能に接続する一軸ヒンジであり、
前記ヒンジ部状態判別手段は、前記ヒンジ部の開閉状態に応じて前記二つの筐体の見開き角度を検出し、この見開き角度が所定の角度より大きいか否かにより前記所定の状態であるか否かを判別し、
前記表示制御手段は、前記表示判別手段により前記二つの表示部が同一の表示を行っていないと判別され、かつ前記ヒンジ部状態判別手段により前記二つの筐体の見開き角度が所定の角度より大きく所定の状態であると判別された場合に、前記二つの表示部のうち、前記所定の優先順位に基づく側の表示部の表示を、他の表示部に表示させることで、前記二つの表示部の表示が同一となるような表示制御を行う、
ようにしたことを特徴とする請求項１記載の端末装置。
【請求項３】
前記ヒンジ部は、前記二つの筐体を開閉可能に接続するとともに回動可能に接続する二軸ヒンジであり、
前記ヒンジ部状態判別手段は、前記ヒンジ部の回動状態に応じて前記二つの筐体の一方が略反対側を向いているか否かにより所定の状態であるか否かを判別し、
前記表示制御手段は、前記表示判別手段により前記二つの表示部が同一の表示を行っていないと判別され、かつ前記ヒンジ部状態判別手段により前記二つの表示部の一方が略反対側を向いて所定の状態であると判別された場合に、前記二つの表示部のうち、前記所定の優先順位に基づく側の表示部の表示を、他の表示部に表示させることで、前記二つの表示部の表示が同一となるような表示制御を行う、
ようにしたことを特徴とする請求項１記載の端末装置。
【請求項４】
前記表示制御手段は、前記二つの表示部の表示が同一となるような表示制御を行う場合に、前記二つの表示部のうち、前記所定の優先順位に基づく側の表示部の表示として、回動させていない筐体に備えられた表示部の表示を回動させた筐体に備えられた表示部にも表示させることで前記二つの表示部の表示を同一とする、
ようにしたことを特徴とする請求項３記載の端末装置。
【請求項５】
当該端末装置の傾きを検出し、前記二つの表示部のうちどちら側に傾いているかを判別する傾き判別手段を更に備え、
前記表示制御手段は、前記二つの表示部の表示が同一となるような表示制御を行う場合に、前記所定の優先順位に基づく側の表示部の表示として、前記傾き判別手段により判別された、傾いている側の表示部の表示を他の表示部にも表示させることで前記二つの表示部の表示を同一とする、
ようにしたことを特徴とする請求項１〜３のいずれかに記載の端末装置。
【請求項６】
撮像部と、
ユーザが前記二つの表示部のうちどちらの表示部に注目しているかを前記撮像部による撮影画像を解析することで判別する注目判別手段を更に備え、
前記表示制御手段は、前記二つの表示部の表示が同一となるような表示制御を行う場合に、前記所定の優先順位に基づく側の表示部の表示として、前記注目判別手段により注目していると判別された表示部の表示を他の表示部にも表示させることで前記二つの表示部の表示を同一とする、
ようにしたことを特徴とする請求項１〜３のいずれかに記載の端末装置。
【請求項７】
前記表示制御手段が前記二つの表示部の表示が同一となるような表示制御を行う場合に、どちらの表示部の表示を他の表示部にも表示させるかをユーザ操作により任意に設定する設定手段を更に備え、
前記表示制御手段は、前記二つの表示部の表示が同一となるような表示制御を行う場合に、前記所定の優先順位に基づく側の表示部の表示として、前記設定手段による設定内容に基づいて、いずれかの表示部の表示を他の表示部にも表示させることで前記二つの表示部の表示を同一とする、
ようにしたことを特徴とする請求項１〜３のいずれかに記載の端末装置。
【請求項８】
前記表示判別手段は、一つの表示を分割して前記二つの表示部に表示している場合に前記二つの表示部が同一の表示を行っていないと判別し、
前記表示制御手段は、前記二つの表示部の表示が同一となるような表示制御を行う場合に、前記所定の優先順位に基づく側の表示部の表示として、前記分割する前の一つの表示を前記表示部の各々に収まるような表示サイズに変更して前記二つの表示部に表示させることで前記二つの表示部の表示を同一とする、
ようにしたことを特徴とする請求項１〜３のいずれかに記載の端末装置。
【請求項９】
コンピュータに対して、
ヒンジ部を介して接続された二つの筐体に各々に備えられた表示部が同一の表示を行っているか否かを判別する機能と、
前記二つの筐体を接続する前記ヒンジ部の状態を検出し、その状態が所定の状態であるか否かを判別する機能と、
前記二つの表示部が同一の表示を行っていないと判別され、かつ前記ヒンジ部の状態が所定の状態であると判別された場合に、前記二つの表示部のうち、所定の優先順位に基づく側の表示部の表示を、他の表示部に表示させることで、前記二つの表示部の表示が同一となるような表示制御を行う機能と、
を実現させるためのプログラム。
【発明の詳細な説明】
【技術分野】
【０００１】
本発明は、各々に表示部を備えた二つの筐体を、ヒンジ部を介して接続して成る端末装置及びプログラムに関する。
【背景技術】
【０００２】
近年、携帯電話機などの端末装置にあっては、その高機能化に伴って画面サイズの大型化が進んでいるが、持ち運ぶという特質上、画面サイズが制限されてしまうため、複数の表示部を備えることで大画面化を実現化するようにしている。例えば、二つの筐体を、ヒンジ部を介して折り畳み可能に連結した端末装置にあっては、各筐体に表示部をそれぞれ配設することにより、見開き本のように二つの表示部を開くようにすることで大画面化を実現化するようにしている。
【０００３】
このように二つの表示部を備えた見開き型の端末装置にあっては、今後増えることが予想され、二人で各々の表示部を見ることも考えられる。例えば、従来にあっては、電子表示装置を一緒に見ている相手が自分と向かい合っている（対面している）場合に、自分及び相手が最も表示が閲覧し易くなるように、表示を１８０°回転させるようにした技術が開示されている（特許文献１参照）。
【先行技術文献】
【特許文献】
【０００４】
【特許文献１】特開２００３−２８０６２２号公報
【発明の概要】
【発明が解決しようとする課題】
【０００５】
しかしながら、上述した先行技術にあっては、相手が自分と向かい合っている場合に、表示を１８０°回転させるだけであり、例えば、二つの表示部を備えることを活かしたものとは言えず、また、ユーザ自身が表示を見ている場合か、相手に表示を見せている場合かのいずれしか対応することができなかった。
【０００６】
本発明の課題は、特別なキー操作を行うことなく、同一の表示をそれぞれ別の人が同時に閲覧できるようにすることである。
【課題を解決するための手段】
【０００７】
上述した課題を解決するために請求項１記載の発明は、
各々に表示部を備えられた二つの筐体を、ヒンジ部を介して接続して成る端末装置であって、
前記二つの表示部が同一の表示を行っているか否かを判別する表示判別手段と、
前記二つの筐体を接続する前記ヒンジ部の状態を検出し、そのヒンジ部の状態が所定の状態であるか否かを判別するヒンジ部状態判別手段と、
前記表示判別手段により前記二つの表示部が同一の表示を行っていないと判別され、かつ前記ヒンジ部状態判別手段により前記ヒンジ部の状態が所定の状態であると判別された場合に、前記二つの表示部のうち、所定の優先順位に基づく側の表示部の表示を、他の表示部に表示させることで、前記二つの表示部の表示が同一となるような表示制御を行う表示制御手段と、
を備えることを特徴とする。
【０００８】
請求項１に従属する発明として、
前記ヒンジ部は、前記二つの筐体を開閉可能に接続する一軸ヒンジであり、
前記ヒンジ部状態判別手段は、前記ヒンジ部の開閉状態に応じて前記二つの筐体の見開き角度を検出し、この見開き角度が所定の角度より大きいか否かにより前記所定の状態であるか否かを判別し、
前記表示制御手段は、前記表示判別手段により前記二つの表示部が同一の表示を行っていないと判別され、かつ前記ヒンジ部状態判別手段により前記二つの筐体の見開き角度が所定の角度より大きく所定の状態であると判別された場合に、前記二つの表示部のうち、前記所定の優先順位に基づく側の表示部の表示を、他の表示部に表示させることで、前記二つの表示部の表示が同一となるような表示制御を行う、
ようにしたことを特徴とする、請求項２記載の発明であってもよい。
【０００９】
請求項１に従属する発明として、
前記ヒンジ部は、前記二つの筐体を開閉可能に接続するとともに回動可能に接続する二軸ヒンジであり、
前記ヒンジ部状態判別手段は、前記ヒンジ部の回動状態に応じて前記二つの筐体の一方が略反対側を向いているか否かにより所定の状態であるか否かを判別し、
前記表示制御手段は、前記表示判別手段により前記二つの表示部が同一の表示を行っていないと判別され、かつ前記ヒンジ部状態判別手段により前記二つの表示部の一方が略反対側を向いて所定の状態であると判別された場合に、前記二つの表示部のうち、前記所定の優先順位に基づく側の表示部の表示を、他の表示部に表示させることで、前記二つの表示部の表示が同一となるような表示制御を行う、
ようにしたことを特徴とする、請求項３記載の発明であってもよい。
【００１０】
請求項３に従属する発明として、
前記表示制御手段は、前記二つの表示部の表示が同一となるような表示制御を行う場合に、前記二つの表示部のうち、前記所定の優先順位に基づく側の表示部の表示として、回動させていない筐体に備えられた表示部の表示を回動させた筐体に備えられた表示部にも表示させることで前記二つの表示部の表示を同一とする、
ようにしたことを特徴とする、請求項４記載の発明であってもよい。
【００１１】
請求項１〜３のいずれかに従属する発明として、
当該端末装置の傾きを検出し、前記二つの表示部のうちどちら側に傾いているかを判別する傾き判別手段を更に備え、
前記表示制御手段は、前記二つの表示部の表示が同一となるような表示制御を行う場合に、前記所定の優先順位に基づく側の表示部の表示として、前記傾き判別手段により判別された、傾いている側の表示部の表示を他の表示部にも表示させることで前記二つの表示部の表示を同一とする、
ようにしたことを特徴とする、請求項５記載の発明であってもよい。
【００１２】
請求項１〜３のいずれかに従属する発明として、
撮像部と、
ユーザが前記二つの表示部のうちどちらの表示部に注目しているかを前記撮像部による撮影画像を解析することで判別する注目判別手段を更に備え、
前記表示制御手段は、前記二つの表示部の表示が同一となるような表示制御を行う場合に、前記所定の優先順位に基づく側の表示部の表示として、前記注目判別手段により注目していると判別された表示部の表示を他の表示部にも表示させることで前記二つの表示部の表示を同一とする、
ようにしたことを特徴とする、請求項６記載の発明であってもよい。
【００１３】
請求項１〜３のいずれかに従属する発明として、
前記表示制御手段が前記二つの表示部の表示が同一となるような表示制御を行う場合に、どちらの表示部の表示を他の表示部にも表示させるかをユーザ操作により任意に設定する設定手段を更に備え、
前記表示制御手段は、前記二つの表示部の表示が同一となるような表示制御を行う場合に、前記所定の優先順位に基づく側の表示部の表示として、前記設定手段による設定内容に基づいて、いずれかの表示部の表示を他の表示部にも表示させることで前記二つの表示部の表示を同一とする、
ようにしたことを特徴とする、請求項７記載の発明であってもよい。
【００１４】
請求項１〜３のいずれかに従属する発明として、
前記表示判別手段は、一つの表示を分割して前記二つの表示部に表示している場合に前記二つの表示部が同一の表示を行っていないと判別し、
前記表示制御手段は、前記二つの表示部の表示が同一となるような表示制御を行う場合に、前記所定の優先順位に基づく側の表示部の表示として、前記分割する前の一つの表示を前記表示部の各々に収まるような表示サイズに変更して前記二つの表示部に表示させることで前記二つの表示部の表示を同一とする、
ようにしたことを特徴とする、請求項８記載の発明であってもよい。
【００１５】
また、上述した課題を解決するために請求項９記載の発明は、
コンピュータに対して、
ヒンジ部を介して接続された二つの筐体に各々に備えられた表示部が同一の表示を行っているか否かを判別する機能と、
前記二つの筐体を接続する前記ヒンジ部の状態を検出し、その状態が所定の状態であるか否かを判別する機能と、
前記二つの表示部が同一の表示を行っていないと判別され、かつ前記ヒンジ部の状態が所定の状態であると判別された場合に、前記二つの表示部のうち、所定の優先順位に基づく側の表示部の表示を、他の表示部に表示させることで、前記二つの表示部の表示が同一となるような表示制御を行う機能と、
を実現させるためのプログラム、であることを特徴とする。
【発明の効果】
【００１６】
本発明によれば、特別なキー操作を行うことなく、同一の表示をそれぞれ別の人が同時に閲覧することができ、利便性に富んだものとなる。
【図面の簡単な説明】
【００１７】
【図１】（１）、（２）は、端末装置として適用した携帯電話機においてそのスタイルの変更に応じた表示状態を説明するための図。
【図２】携帯電話機の基本的な構成要素を示したブロック図。
【図３】携帯電話機の全体動作のうち、本実施形態の特徴部分の動作概要（アプリケーション処理）を示したフローチャート。
【図４】（１）、（２）は、携帯電話機のスタイルの変更に応じた他の表示状態（図１とは異なる他の表示状態）を説明するための図。
【図５】第１実施形態の変形例を示した図で、（１）〜（３）は、二軸ヒンジタイプの携帯電話機においてそのスタイルの変更に応じた表示状態を説明するための図。
【図６】第２実施形態において、どちらの表示部をユーザが見ているのか（注目しているか）を判断する場合を説明するための図。
【図７】第２実施形態の変形例を説明するための図。
【発明を実施するための形態】
【００１８】
（第１実施形態）
図１〜図４を参照して本発明の第１実施形態を説明する。
本実施形態は、端末装置として携帯電話機に適用した場合を例示したもので、図１は、この携帯電話機の外観図を示すとともに、そのスタイルの変更に応じた表示状態を説明するための図である。
携帯電話機は、通話機能、電子メール機能、インターネット接続機能（Ｗｅｂアクセス機能）のほか、テレビ受信機能、電子ブック閲覧機能などを備えたもので、図１に示すように、各々に表示部を備えた二つの筐体、つまり、表示部筐体１、２を、ヒンジ部３を介して折り畳み自在（開閉自在）に取り付けた折り畳みタイプ（開閉式）の携帯電話機である。なお、電子ブック閲覧機能は、複数頁分のデータを表示部筐体１、２の表示部に頁順にそれぞれ割り当て表示させる機能である。
【００１９】
表示部筐体１は、表示部４を備えた筐体であり、表示部筐体２は、表示部５を備えた筐体で、この表示部筐体１、２は、同形同大の長方体を成している。図１（１）は、縦長の表示部筐体１、２が横並びとなるように見開いた状態（横開き状態）、つまり、端末筐体全体が横長となるような縦向きにした状態を示し、この縦向き状態（横開き状態）では、表示部筐体１が図中、左側に位置し、表示部筐体２が右側に位置するようになる。ヒンジ部３は、表示部筐体１、２を重ね合わせた状態から見開き状態（略１８０°見開いた状態）に開閉可能に接続する一軸ヒンジ（連結部）であり、以下、図１（１）に示すような見開き状態をブックスタイルと呼称する。このブックスタイルでは、表示部筐体１に備えられた表示部４と表示部筐体２に備えられた表示部５とは横並びの近接状態となっている。
【００２０】
表示部４、５は、同形同大の長方形で、筐体の正面略全域に配置された液晶表示部や有機ＥＬ（エレクトロルミネッセンス）部などであり、図１（１）の例は、二つの表示部４、５に対応して二つの機能（アプリケーション）を同時に起動させている場合（ユーザが二つの機能を起動して別々の表示部で視聴する場合）を示している。すなわち、図中、左側に位置する表示部筐体１に備えられた表示部４に対応して、閲覧視聴系の機能としてテレビ機能を起動した場合を示し、また、図中、右側に位置する表示部筐体２に備えられた表示部５に対応して、閲覧視聴系の機能としてＷｅｂブラウザ機能を起動した場合を示し、これによって左側の表示部４にはテレビ画面が表示され、右側の表示部５にはＷｅｂブラウザ画面が表示されている状態を示している。
【００２１】
図２は、携帯電話機の基本的な構成要素を示したブロック図である。
制御部１１は、二次電池を備えた電源部１２からの電力供給によって動作し、記憶部１３内の各種のプログラムに応じてこの携帯電話機の全体動作を制御するもので、この制御部１１には図示しないＣＰＵ（中央演算処理装置）やメモリなどが設けられている。記憶部１３は、ＲＯＭ、ＲＡＭなどの内部メモリで、図示しないプログラム領域とデータ領域とを有し、この記憶部１３内のプログラム領域には、後述する図３に示す動作手順に応じて本実施形態を実現するためのプログラムが格納されている。また、記憶部１３内のデータ領域には、各種のフラグ情報、携帯電話機の動作に必要な各種の情報が記憶されている。なお、記憶部１３は、例えば、ＳＤカード、ＩＣカードなど、着脱自在な可搬型メモリ（記録メディア）を含む構成であってもよく、あるいは図示しない所定の外部サーバ上に記憶部１３を有する構成であってもよい。
【００２２】
表示部４、５は、タッチスクリーン（タッチ画面）ＴＡ、ＴＢを構成するもので、表示部４、５の表面に対応する指の接触を検出する接触操作部（透明なタッチパネル）６、７を積層配設することによってタッチ画面ＴＡ、ＴＢが構成されている。ここで、接触操作部６、７は、静電容量方式でも抵抗膜方式でもよく、また、接触の他に操作器具や指の押し込み（押圧）を検出可能とする圧電方式であってもよいが、本実施形態では、操作器具（ペン）や指の押圧を検出可能とする圧電方式を使用している。
【００２３】
そして、表示部４、５（タッチ画面ＴＡ、ＴＢ）は、ダイヤル入力、文字入力、コマンド入力などを入力可能なもので、ソフトウェアキーボード（タッチパネル式のキーボード）やソフトウェア手書き入力パッド（touchpad：タッチパネル式の手書き入力パッド）が表示される。制御部１１は、タッチ画面ＴＡ、ＴＢからの操作信号に応じた処理として、例えば、発信処理、電子メール受信処理など、各種の処理を行う。また、タッチ画面ＴＡ、ＴＢは、待受画像、アイコン、日時情報のほか、テキストデータ、メール、Ｗｅｂページなどを表示する。
【００２４】
無線通信部１４は、図示しない無線部、ベースバンド部、多重分離部などを備え、例えば、音声通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調して制御部１１に与え、制御部１１は、電話部１５を介して通話用スピーカＳＰから音声出力させ、また、通話用マイクＭＣからの入力音声データを電話部１５から取り込み、送信ベースバンド信号に符号化した後、ベースバンド部の送信側に与えてアンテナＡＴ１から発信出力させる。テレビ放送受信部１６は、地上波デジタルテレビ放送を受信するもので、アンテナＡＴ２から放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データを解凍したりするなどを行うデジタル回路部を有している。
【００２５】
見開き角度検出部１７は、ヒンジ部３に内蔵されていて、表示部筐体１、２が見開いたときの角度（見開き角度）を検出するもので、ヒンジ部３の回転に応じて回転する可動接点が固定接点に接触することにより見開き角（０°〜略３６０°）を検出するロータリタイプのスイッチ構造となっているが、その構成は任意であり、光学的、磁気的に検出する構成であってもよい。この見開き角度検出部１７による検出結果に基づいて制御部１１は、ヒンジ部３の状態が所定の状態であるか否か、つまり、見開き角度が所定の角度（本実施形態では略２７０°）であるか否かを判別するようにしている。なお、略２７０°とは、例えば、２４０°〜３００°であるが、それに限らず、２５０°〜２９０°などであってもよい。ここで、制御部１１は、二つの表示部４、５が同一の表示を行っていない場合に、見開き角度が略２７０°であれば、二つの表示部４、５の表示が同一となるような表示制御を行うようにしている。
【００２６】
筐体傾き検出部１８は、ヒンジ部３を介して表示部筐体１、２を見開いた状態においてその見開きと同方向における各筐体の傾き角度を検出する三軸タイプの加速度センサで、表示部筐体１又は２内の基板に実装されたもので、表示部筐体１、２の姿勢角（傾き角度）を検出する。傾き角度は、表示部筐体１、２の表示面側の中心を回転中心とした場合の表示部筐体１、２の回転角であり、制御部１１は、筐体傾き検出部１８からの検出結果に基づいて、表示部筐体１、２の表示面が重力方向に対してどちらに回転しているかを算出し、表示部筐体１側に傾けられた状態か、表示部筐体２側に傾けられた状態かを判別するようにしている。
【００２７】
ここで、表示部筐体１側に傾けられた場合には、この筐体１に備えられている表示部４の表示を他の表示部筐体２に備えられている表示部５にも表示させることにより二つの表示部４、５の表示が同一となるような表示制御を行うようにしている。また、表示部筐体２側に傾けられた場合には、この筐体２に備えられている表示部５の表示を他の表示部筐体１に備えられている表示部４にも表示させることにより二つの表示部４、５の表示が同一となるような表示制御を行うようにしている。
【００２８】
図１（２）は、図１（１）に示すようなブックスタイルにおいて、表示部筐体１、２の見開き角度を略２７０°とした状態（共用スタイル）の表示例を示した図である。この共用スタイルは、ユーザとその横に並んでいる第三者とが共用して閲覧可能なスタイル（同一の表示をそれぞれ別の人が同時に閲覧可能なスタイル）で、図示の例では、表示部筐体１側の表示部４の表示（テレビ画面）が表示部筐体２側の表示部５にも表示された場合を示している。ここで、二つの表示部４、５のうち、どちらの表示部の表示を優先して他の表示部に表示させるかは、優先フラグ（図示省略）を参照して決定するようにしている。すなわち、この優先フラグは、ユーザ操作により任意に設定されたもので、予め決められている表示部を優先するのか（固定優先）、筐体傾き検出部１８の検出結果に応じた表示部を優先するのか（変動優先）を示すフラグである。
【００２９】
次に、第１実施形態における携帯電話機の動作概念を図３に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００３０】
図３は、携帯電話機の全体動作のうち、本実施形態の特徴部分の動作概要（アプリケーション処理）を示したフローチャートである。この図３のフローから抜けた際には、全体動作のメインフロー（図示省略）に戻る。以下、図３のフローチャートを図１、図４に示す具体例を参照しながら説明するものとする。
先ず、制御部１１は、二つの機能を起動して別々の表示部４、５で視聴するか（２アプリ２表示）、１つの機能を起動して二つの表示部４、５で視聴するか（１アプリ２表示）のいずれかがユーザ操作により選択されると（ステップＳ１）、その選択操作に応じた処理を行う（ステップＳ２〜Ｓ５）。
【００３１】
上述の“２アプリ２表示”は、図１（１）に示したように、表示部４、５に別々の機能で得られた情報を表示させる場合であるが、“１アプリ２表示”は、１画面を分割して表示部４、５に表示させる場合である。図４（１）は、上述したブックスタイルにおける“１アプリ２表示”を例示したもので、一つの表示（図示の例ではテレビ画面）を二つに分割して表示部４、５の各々に表示させた状態を示している。この場合、１つテレビ画面の左半分を表示部４に表示させ、右半分を表示部５に表示させることにより、テレビ画面を二つの表示部４、５を使用した大画面で見ている状態、すなわち、図中、左側の表示と右側の表示とは互いに連続する一連表示となり、一つの表示を二つに分割して表示部４、５の各々に表示させた状態を示している。
【００３２】
いま、“２アプリ２表示”が選択された場合には（ステップＳ２でＹＥＳ）、一方の機能を起動して一方の表示部に表示させるとともに（ステップＳ３）、他方の機能を起動して他方の表示部に表示させる（ステップＳ４）。例えば、図１（１）に示すように、表示部４に対応して指定された機能を起動させるとともに、その機能の起動によって得られた情報を表示部４に表示させる。また、表示部５に対応して指定された機能を起動させるとともに、その機能の起動によって得られた情報を表示部５に表示させる。一方、“１アプリ２表示”が選択された場合には（ステップＳ２でＮＯ）、図４（１）に示すように、二つの表示部４、５を連続する一つの表示部として使用するような一連表示を行う（ステップＳ５）。
【００３３】
そして、制御部１１は、見開き角度検出部１７、筐体傾き検出部１８の検出結果に基づいて、表示部筐体１、２の開閉状態として、図１（１）に示したようなブックスタイルであるかを調べる（ステップＳ６）。いま、ブックスタイル以外の開閉状態であれば（ステップＳ６でＮＯ）、その開閉状態に応じた利用形態（スタイル）でのモードに応じた動作を実行した後（ステップＳ７）、終了指示の有無を調べる（ステップＳ８）。ここで、終了指示が行われなければ（ステップＳ８でＮＯ）、ブックスタイルであるかをチェックする上述のステップＳ６に戻るが、終了指示が行われたときには（ステップＳ８でＹＥＳ）、図３のフローから抜ける。
【００３４】
いま、ブックスタイルであれば（ステップＳ６でＹＥＳ）、このブックスタイルのモードの動作を開始した後（ステップＳ９）、見開き角度検出部１７の検出結果に基づいて、表示部筐体１、２の見開き角度は略２７０°であるかを調べ（ステップＳ１０）、略２７０°でなければ（ステップＳ１０でＮＯ）、ブックスタイルであるかをチェックする上述のステップＳ６に戻る。また、見開き角度が略２７０°であれば（ステップＳ１０でＹＥＳ）、上述したステップＳ１で“２アプリ２表示”が選択されたのかを調べ（ステップＳ１１）、“２アプリ２表示”が選択されていれば（ステップＳ１１でＹＥＳ）、上述の優先フラグ（図示省略）を参照し、優先フラグは、予め決められている表示部を優先する“固定優先”を指定しているかを調べる（ステップＳ１２）。
【００３５】
ここで、筐体傾き検出部１８の検出結果に応じた表示部を優先する“変動優先”が指定されている場合には（ステップＳ１２でＮＯ）、筐体傾き検出部１８の検出結果に基づいて表示部筐体１側に傾けられたのかを判別し（ステップＳ１３）、傾けられた方の表示部４の表示を優先させ、この表示部の表示を他の表示部にも同様に表示させることで二つの表示部４、５の表示を同一とする（ステップＳ１４）。例えば、表示部筐体１側に傾けられたときには、表示部筐体１側の表示部４の表示を優先させ、この表示部４の表示を他の表示部５にも同様に表示させることで二つの表示部４、５の表示を同一とする。また、表示部筐体２側に傾けられたときには、表示部筐体２側の表示部５の表示を優先させ、この表示部５の表示を他の表示部４にも同様に表示させることで二つの表示部４、５の表示を同一とする。その後、ブックスタイルであるかをチェックする上述のステップＳ６に戻る。
【００３６】
また、上述した優先フラグを参照した結果、予め決められている表示部を優先する（固定優先）が指定されている場合には（ステップＳ１２でＹＥＳ）、予めユーザ操作により任意に設定されることにより固定的に決められた所定の表示部、例えば、表示部筐体１側の表示部４の表示を優先させ、この表示部４の表示を他の表示部５にも同様に表示させることで二つの表示部４、５の表示を同一とする（ステップＳ１５）。なお、所定の表示部は、表示部筐体２側の表示部５であってもよい。その後、ブックスタイルであるかをチェックする上述のステップＳ６に戻る。
【００３７】
一方、一つの機能を起動して二つの表示部４、５で視聴する“１アプリ２表示”が選択されている場合には（ステップＳ１１でＮＯ）、図４（１）に示すように、一つの表示を二つに分割して表示部４、５の各々に表示させた状態において、分割する前の一つの表示を表示部４、５の各々に収まるような表示サイズ、つまり、表示部４、５の横幅（短辺方向の幅）に合った表示サイズに変更した後（ステップＳ１６）、そのサイズの表示を表示部４、５に表示させることで二つの表示部４、５の表示を同一とする（ステップＳ１７）。図４（２）は、図４（１）のブックスタイルから変更された共用スタイルでの表示例を示した図で、図４（１）で分割されていた二つのテレビ画面を本来の一つの画面に纏めて縮小したようなテレビ画面に変換して各表示部４、５に表示させる。その後、ブックスタイルであるかをチェックする上述のステップＳ６に戻る。
【００３８】
以上のように、この第１実施形態において制御部１１は、表示部筐体１、２に備えられた二つの表示部４、５が同一の表示を行っていない場合で、かつヒンジ部３の状態が所定の状態である場合に、二つの表示部４、５の表示が同一となるような表示制御を行うようにしたので、特別なキー操作を行うことなく、同一の表示をそれぞれ別の人が同時に閲覧することができ、利便性に富んだものとなる。
【００３９】
ヒンジ部３は、二つの表示部筐体１、２を開閉可能に接続する一軸ヒンジであり、このヒンジ部３の開閉状態に応じて二つの表示部筐体１、２の見開き角度を検出し、この見開き角度が所定の角度（例えば、略２７０°）より大きいか否かによりヒンジ部３が所定の状態であるか否かを判別するようにしたので、複数人が見易い状態で同一の表示を見ることが可能となる。
【００４０】
筐体傾き検出部１８の検出結果に基づいて、二つの表示部４、５のうちどちら側に傾いているかを判別し、傾いている側の表示部の表示を他の表示部にも表示させることで二つの表示部の表示を同一とするようにしたので、ユーザにあっては筐体を傾けるという簡単な操作により同一の表示をそれぞれ別の人が同時に閲覧する状態に変更することが可能となり、使い勝手の向上が可能となる。
【００４１】
二つの表示部４、５の表示が同一となるような表示制御を行う場合に、どちらの表示部の表示を他の表示部にも表示させるかをユーザ操作により任意に設定するようにしたので、他人に見せたい表示を予めユーザの要望に応じて選択することができ、使い勝手の向上が可能となる。
【００４２】
一つの表示を分割して二つの表示部４、５に表示させて閲覧している状態において、その表示を第三者に見せる際に、分割する前の一つの表示を表示部４，５の各々に収まるような表示サイズに変更して二つの表示部４、５に表示させるようにしたので、例えば、テレビ画面を二つの表示部４、５を使用した大画面で見ているような場合であっても、特別なキー操作を行うことなく、同一の表示（テレビ画面）を別の人にも見せることが可能となる。
【００４３】
なお、上述した実施形態においては、折り畳みタイプ（開閉式）の携帯電話機に適用した場合を示したが、二軸ヒンジタイプの携帯電話機に適用してもよい。図５は、二軸ヒンジタイプの携帯電話機の概略外観図である。図５（１）は、ヒンジ部８を介して開閉可能に接続されているとともに回動可能に接続されている表示部筐体１、２を見開いた状態、つまり、縦長の表示部筐体１、２が横並びとなるように見開いた状態（横開き状態）のブックスタイルを示している。このヒンジ部８は、表示部筐体１、２を開閉可能に接続するとともに回動可能に接続する二軸ヒンジである。
【００４４】
そして、図５（１）は、二つの表示部４、５に対応して二つの機能（アプリケーション）を同時に起動させている場合を示している。すなわち、図中、左側に位置する表示部筐体１に備えられた表示部４に対応して、テレビ機能を起動し、また、図中、右側に位置する表示部筐体２に備えられた表示部５に対応して、Ｗｅｂブラウザ機能を起動することによって、左側の表示部４にはテレビ画面が表示され、右側の表示部５にはＷｅｂブラウザ画面が表示されている状態を示している。図５（２）は、表示部筐体１に対して表示部筐体２を回動させた回動途中の状態を示し、図５（３）は、表示部筐体１に対して表示部筐体２を略１８０°回動させて、表示部筐体２に備えられた表示部５を反対側に向けた状態を示している。なお、図示の例では、表示部筐体１に対して表示部筐体２を回動させた場合を例示したが、表示部筐体２に対して表示部筐体１を回動させた場合であってもよい。
【００４５】
そして、この携帯電話機には、上述した見開き角度検出部１７のほか、表示部筐体１に対して表示部筐体２を回動させたのか、表示部筐体２に対して表示部筐体１を回動させたのかを検出するとともに、表示部筐体１、２のいずれを略１８０°回動させたかを検出する回動検出部（図示省略）が設けられている。この回動検出部は、回転検出を行うロータリタイプのスイッチ構造と、表示部筐体１及び２に配置された加速度センサから構成されており、制御部１１は、ロータリータイプのスイッチの検出結果により表示部筐体１、２の回転角度差を判別し、表示部筐体１、２のそれぞれの加速度センサの重力方向を監視する事によって、表示部筐体１、２のいずれを回転させたかを判別している。ここで、表示面の長手方向に対し、重力方向が反転しない方の表示部筐体が回転していない方の表示部筐体であり、反転した方の表示部筐体が回転させられた方の表示部筐体である。回転検出部は、これに限らず、例えば、磁気的、光学的に検出するものであってもよい。制御部１１は、回動検出部の検出結果に基づいて表示部筐体１、２のいずれが略１８０°回動された場合に、回動していない方の筐体に備えられた表示部をユーザが見続けている表示部であると判断し、この表示部の表示を略１８０°回動させた他の表示部にも表示させることで、二つの表示部４、５の表示が同一となるような表示制御を行うようにしている。
【００４６】
このように二軸ヒンジタイプの携帯電話機においては、二つの表示部４、５が同一の表示を行っていない場合で、かつ二つの表示部４、５の一方を略反対側に向けた場合に、二つの表示部４、５の表示が同一となるような表示制御を行うようにすれば、特別なキー操作を行うことなく、同一の表示をそれぞれ別の人が同時に閲覧することができ、利便性に富んだものとなる。
【００４７】
回動検出部の検出結果に基づいて表示部筐体１、２のいずれが略１８０°回動された場合に、回動していない方の筐体に備えられた表示部をユーザが見続けている表示部であると判断し、この表示部の表示を略１８０°回動させた他の表示部にも表示させることで、二つの表示部４、５の表示が同一となるような表示制御を行うようにすれば、ユーザにあっては表示部筐体１、２の一方を回動させるという簡単な操作により同一の表示をそれぞれ別の人が同時に閲覧する状態に変更することが可能となり、使い勝手の向上が可能となる。
【００４８】
（第２実施形態）
以下、この発明の第２実施形態について図６を参照して説明する。
なお、上述した第１実施形態においては、どちらの表示部の表示を他方の表示部にも表示させるかを、優先フラグを参照して決定し、予め決められている表示部を優先する“固定優先”に基づいて決定するか、傾けた側の筐体の表示部を優先する“変動優先”に基づいて決定するようにしたが、この第２実施形態においては、インカメラ（撮像部）で撮影したユーザの顔画像を解析することによりユーザの眼球から視線方向を検出し、この視線方向に基づいて、どちらの表示部をユーザが見ているのか（注目しているか）を判断し、ユーザが見ている方の表示部を他の表示部にも表示させるようにしたものである。ここで、両実施形態において基本的あるいは名称的に同一のものは、同一符号を付して示し、その説明を省略するとともに、以下、第２実施形態の特徴部分を中心に説明するものとする。
【００４９】
図６（１）は、上述した図１（１）と同様に、表示部筐体１、２とを見開き可能（開閉可能）な一軸ヒンジタイプの携帯電話機において、表示部筐体１、２を見開いた状態（横開き状態）を示した図である。インカメラ１９は、電話中に自己の顔などを撮影するテレビ電話用などとして利用される撮像部であり、筐体の内側のヒンジ部３、つまり、見開き状態において表示部４、５が露出する側のヒンジ部３の上端部に設けられたもので、撮影レンズ、撮像素子、その駆動系のほか、測距センサ、光量センサ、アナログ処理回路、信号処理回路などを備えている。
【００５０】
制御部１１は、インカメラ１９で撮影したユーザの顔画像を解析してユーザの両眼の黒目の位置から両眼の視線方向を検出することにより、どちらの表示部４、５をユーザが見ているのか（注目しているのか）を判断するようにしている。この場合、一方の表示部を見ている注目時間を計測し、この注目時間が所定時間（例えば、３秒以上）の場合には、一方の表示部を見ていると判断するようにしている。なお、図中、破線は、インカメラ１９の撮影方向を示している。図示の例では、図中、左側の表示部筐体１の表示部４を見ている場合で、制御部１１は、上述した第１実施形態と同様に、二つの表示部筐体１、２の見開き角度が所定の角度（例えば、略２７０°）になった際に、図６（２）のようにユーザが注目している表示部の表示を他の表示部にも表示させることで、二つの表示部４、５の表示が同一となるような表示制御を行うようにしている。
【００５１】
以上のように、第２実施形態において制御部１１は、二つの表示部４、５のうち、ユーザが注目していた方の表示部の表示を他の表示部にも表示させることで二つの表示部４、５の表示を同一とするようにしたので、相手に見せたい表示を確実かつ容易に特定することができる。
【００５２】
なお、上述した第２実施形態においてインカメラ１９は、ヒンジ部３の上端部に設けるようにしたが、例えば、図７に示すように、表示部筐体１、２の上端部中央部分に、それぞれ取り付けるようにしてもよい。このように表示部筐体１、２にインカメラ１９Ａ、１９Ｂを取り付けることにより、各インカメラ１９Ａ、１９Ｂの撮影方向は、図７（１）に示すようになり、ユーザがどちらの表示部を見ているかにより、それらの撮影方向がユーザから外れるようになる。図示の例において、表示部筐体１側のインカメラ１９Ａの撮影方向は、ユーザの顔に正対するようになるが、表示部筐体２側のインカメラ１９Ｂの撮影方向は、顔から外れるようになる。これによってインカメラ１９Ｂによって撮影された画像には、ユーザの顔は写っていないが、インカメラ１９Ａによって撮影された画像には、顔の全てが写っているため、ユーザは、表示部筐体１側の表示部を見ているものと判断することができる。
【００５３】
なお、上述した各実施形態においては、縦長の表示部筐体１、２が横並びとなるように見開いた状態（横開き状態）として使用する場合を例示したが、これに限らず、例えば、横長の表示部筐体１、２が縦並びとなるように見開いた状態（縦開き状態）として使用する場合であってもよい。また、上述した各実施形態においては、二つの筐体を見開いて使用する場合を例示したが、これに限らず、三つ以上の筐体を見開いて使用する構造であってもよい。
【００５４】
なお、上述した各実施形態においては、見開き角度の所定の角度として略２７０°の場合を例示したが、これに限らず、任意であるとともに、ユーザ操作により所定角度を任意に設定可能としてもよい。
【００５５】
また、携帯電話機のタイプは、一軸ヒンジタイプ、二軸ヒンジタイプに限らず、スライドタイプ、スピントップタイプなど任意の筐体構造であってもよい。その他、携帯電話機に限らず、パーソナルコンピュータ、ＰＤＡ、デジタルカメラ、音楽プレイヤーなどであってもよい。
【００５６】
また、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００５７】
１、２  表示部筐体
３、８  ヒンジ部
４、５、  表示部（タッチ画面ＴＡ、ＴＢ）
６、７  接触操作部
１１  制御部
１３  記憶部
１７  見開き角度検出部
１８  筐体傾き検出部
１９、１９Ａ、１９Ｂ  インカメラ
【図１】
0005527813.tif 000002
【図２】
0005527813.tif 000003
【図３】
0005527813.tif 000004
【図４】
0005527813.tif 000005
【図５】
0005527813.tif 000006
【図６】
0005527813.tif 000007
【図７】
0005527813.tif 000008